【事件の表示】
　特願２００７−２４１５２３「発声装置付きの知能型秘密鍵設備」拒絶査定不服審判事件〔平成２０年　４月２４日出願公開、特開２００８−　９７５９６〕について、次のとおり審決する。
【結　論】
　本件審判の請求は、成り立たない。
【理　由】
 第１．手続の経緯
　本願は、平成１９年９月１８日（パリ条約による優先権主張２００６年９月１９日、中国）の出願であって、平成２２年５月１３日付けで拒絶の理由が通知され、平成２２年８月１７日に手続補正が提出され、平成２３年１月２７日付けで拒絶査定がなされ、それに対して、平成２３年６月３日に審判請求がなされるとともに、手続補正が提出されたものである。
　
第２．本願発明
　
　１　本願の特許請求の範囲の請求項１に係る発明（以下、「本願発明」という。）は、平成２３年６月３日に補正された明細書及び図面の記載からみて、その特許請求の範囲の請求項１に記載された以下のとおりのものである。
　
〈本願発明〉
「発声装置付きの知能型秘密鍵設備であって、
　MCUを含み、
　前記知能型秘密鍵設備はデータ処理の必要によって受信したホストからの情報を処理してから、発声装置より提示情報を発し、ホストは受信した提示情報の入力を知能型秘密鍵設備に送信して、前記知能型秘密鍵設備は前記入力を処理し、
　または、前記知能型秘密鍵設備は、ネットワークの遠隔端末またはホスト側のアプリケーションの必要によって、受信したホストからの情報を処理してから、発声装置より提示情報を発し、ホストは受信した提示情報の入力をネットワークの遠隔端末へ発送して処理させるか、またはホストに入力してアプリケーションに引き渡して使用させ、
　前記発声装置がMCUと接続して、前記発声装置が発声デバイスを含み、
　前記発声装置は音声チップを含み、前記音声チップはMCUと接続し、MCUにより前記音声チップを制御し、前記発声デバイスは前記音声チップの出力端に接続され、前記音声チップに保存されている音声情報を出力して前記発声デバイスの発声を制御し、
　または、前記発声装置はシリアル入力のD/Aコンバータモジュールを含み、前記発声デバイスは当該D/Aコンバータモジュールと直接に接続するか、或いは抵抗、コンデンサまたはアンプを通して当該D/Aコンバータモジュールと接続し、当該D/AコンバータモジュールはMCUとシリアル接続してシリアル方式で通信し、MCUは出力情報を当該D/Aコンバータモジュールに送信して発声デバイスの発声を制御し、
　または、前記発声装置はパラレル入力のD/Aコンバータモジュールを含み、前記発声デバイスは当該D/Aコンバータモジュールと直接に接続するか、或いは抵抗、コンデンサまたはアンプを通して当該D/Aコンバータモジュールと接続し、当該D/AコンバータモジュールはMCUとパラレル接続してパラレル方式で通信し、MCUは出力情報を当該D/Aコンバータモジュールに送信して発声デバイスの発声を制御し、
　または、前記発声装置はMCUバスと接続するD/Aコンバータモジュールを含み、前記発声デバイスは当該D/Aコンバータモジュールと直接に接続するか、或いは抵抗、コンデンサまたはアンプを通して当該D/Aコンバータモジュールと接続し、MCUは当該D/Aコンバータモジュールとバス方式で通信して発声デバイスの発声を制御することを特徴とする発声装置付きの知能型秘密鍵設備。」
　
　２　本願発明の構成要件
　　　本願発明を構成要件に分説すると、次のとおりである（以下、それぞれの記号に従い「構成要件Ａ」などという。）
　Ａ　　発声装置付きの知能型秘密鍵設備であって、
　Ｂ　　MCUを含み、
　Ｃ１　前記知能型秘密鍵設備はデータ処理の必要によって受信したホストからの情報を処理してから、発声装置より提示情報を発し、ホストは受信した提示情報の入力を知能型秘密鍵設備に送信して、前記知能型秘密鍵設備は前記入力を処理し、
　Ｃ２　または、前記知能型秘密鍵設備は、ネットワークの遠隔端末またはホスト側のアプリケーションの必要によって、受信したホストからの情報を処理してから、発声装置より提示情報を発し、ホストは受信した提示情報の入力をネットワークの遠隔端末へ発送して処理させるか、またはホストに入力してアプリケーションに引き渡して使用させ、
　Ｄ　　前記発声装置がMCUと接続して、前記発声装置が発声デバイスを含み、
　Ｅ１　前記発声装置は音声チップを含み、前記音声チップはMCUと接続し、MCUにより前記音声チップを制御し、前記発声デバイスは前記音声チップの出力端に接続され、前記音声チップに保存されている音声情報を出力して前記発声デバイスの発声を制御し、
　Ｅ２　または、前記発声装置はシリアル入力のD/Aコンバータモジュールを含み、前記発声デバイスは当該D/Aコンバータモジュールと直接に接続するか、或いは抵抗、コンデンサまたはアンプを通して当該D/Aコンバータモジュールと接続し、当該D/AコンバータモジュールはMCUとシリアル接続してシリアル方式で通信し、MCUは出力情報を当該D/Aコンバータモジュールに送信して発声デバイスの発声を制御し、
　Ｅ３　または、前記発声装置はパラレル入力のD/Aコンバータモジュールを含み、前記発声デバイスは当該D/Aコンバータモジュールと直接に接続するか、或いは抵抗、コンデンサまたはアンプを通して当該D/Aコンバータモジュールと接続し、当該D/AコンバータモジュールはMCUとパラレル接続してパラレル方式で通信し、MCUは出力情報を当該D/Aコンバータモジュールに送信して発声デバイスの発声を制御し、
　Ｅ４　または、前記発声装置はMCUバスと接続するD/Aコンバータモジュールを含み、前記発声デバイスは当該D/Aコンバータモジュールと直接に接続するか、或いは抵抗、コンデンサまたはアンプを通して当該D/Aコンバータモジュールと接続し、MCUは当該D/Aコンバータモジュールとバス方式で通信して発声デバイスの発声を制御する
　Ｆ　　ことを特徴とする発声装置付きの知能型秘密鍵設備。
　
第３．引用発明
　１　原査定の拒絶の理由で引用した特開２００６−１８５０６０号公報（平成１８年７月１３日出願公開。以下、「引用文献」という。）には図面とともに以下の事項が記載されている。
　
ａ．「【００２３】
　図１は、本実施形態におけるパスワード入力装置の概略構成図、図２は該パスワード入力装置の操作パネル部分の外観図を示す。本実施形態の
パスワード入力装置１は、パーソナルコンピュータ（ＰＣ）２の周辺機器として、該ＰＣ２とＬＡＮやＵＳＢ等のインターフェイス（ＩＦ）を介して接続され
【００２４】
　図１に示すように、パスワード入力装置１は、
提示部１１や、操作釦（入力部に相当）１２、記憶部１３、認証部１４、機能部１５、ディスプレイ（ＬＣＤ）１６を備えて
【００２５】
　提示部１１は、入力毎に異なる複数のキャラクタの列を生成してＬＣＤ１６に表示させることでオペレータに提示する。本形態では、このキャラクタの列として、ランダムな数字を一列に並べて提示している。
【００２６】
　入力ボタン１２は、オペレータの操作によって前記キャラクタの処理結果の入力を受け、この処理結果を認証部１４に入力する。
【００２７】
　記憶部１３は、フラッシュメモリ等の不揮発性の記憶デバイスであり、ＰＣ２から設定されるパスワードとしての処理を予め記憶する。
【００２８】
　認証部１４は、前記オペレータから入力されたキャラクタについて、前記パスワードとしての処理を行った結果が、前記入力された処理結果と対応するか否かによって認証を行う。
【００２９】
　機能部１５は、前記入力されたパスワードが認証部１４で認証された場合に、所定の処理を実行する。」（【００２３】〜【００２９】の記載。下線は当審で付与、以下同様。）
　
ｂ．「【００３０】
　これらの構成からなる本実施形態のパスワード入力装置１にて実行するパスワード入力方法について以下に説明する。
【００３１】
　まず、ＰＣ２からパスワード入力装置１へパスワードとしての処理を登録する。
【００３２】
　図３は、このパスワードとしての処理を登録する際の入力画面例である。本実施形態では、複数のキャラクタとして、０から９までの数字を２１個、一列に並べて提示し、パスワードとしての処理として、数列の右端からＮ番目の数値と、数列の右／左端からＭ番目の数値とを演算する例を示している。
【００３３】
　オペレータは、ＰＣ２を操作し、図３に示す入力画面中の入力欄３１に前記Ｎの値を入力する。このとき入力は、プルダウンメニュー等により１〜２１の中から任意に選択する。また、前記Ｍの値も同様に入力欄３２に入力する。更に、演算の種類もプルダウンメニュー等で、「加算」や、「減算」「乗算」「除算」等から選択して入力欄３３に入力する。
【００３４】
　これらの入力が完了し、「設定」ボタン３４をクリックされると、ＰＣ２はこの処理のデータをパスワード入力装置１に送信する。これに応じ、パスワード入力装置１は、この処理のデータを受信して記憶部１３に記憶する。なお、ユーザ毎にパスワードを設定する場合には、この処理のデータとユーザを特定する情報とを対応付けて記憶しても良い。
【００３５】
　そして、オペレータは、起動時にこのパスワード入力装置１による認証を行うようにＰＣ２を設定する。
【００３６】
　図４は、このパスワード入力装置１におけるパスワード入力方法の説明図である。
【００３７】
　まずオペレータが、
ＰＣ２の電源を入れると、ＰＣ２のＢＩＯＳがパスワード入力装置１にパスワードの入力を開始する旨の信号を送信する
【００３８】
　
インターフェイスを介してこの信号を受信したパスワード入力装置１は、パスワードの入力を開始し、提示部で２１桁の数列をランダムに生成し、図５に示すように、パスワードの入力を促すメッセージ３５と共に該数列３６をＬＣＤ１６に表示させ
【００３９】
　
ユーザは、この数列３６を見ながら自分のパスワードを入力する
【００４０】
　そして
パスワード入力装置１は、記憶部１４（審決注：「１３」の誤記と認める。）に登録されているパスワードとしての処理を読出し、数列３６についてこの登録されている処理を行った結果を求め、前記入力された処理結果と一致するか否かを判定する
パスワード入力装置１は、これらの処理結果が一致しなければ、認証せず、数列の提示（Ｓ１）に戻る。また、これらの処理結果が一致すれば認証し、機能部１５にこの認証を通知する
【００４１】
　
機能部１５は、この認証の通知に応じて所定の処理を行う。即ち本例ではインターフェイスを介してＰＣ２へ認証を通知する
【００４２】
　このパスワード入力装置１から認証の通知を受信すると、ＰＣ２のＢＩＯＳは、ＯＳの読み込みを開始する。これにより、ＰＣ２は、正しいパスワードが入力された場合にのみ利用可能になる。なお、本発明のパスワードの入力は、ＰＣ２の起動時に限らず、特定のソフトウェアの起動時や、データベースへのアクセス時、周辺機器の使用時などに適用しても良い。」（【００３０】〜【００４２】の記載。）
　
ｃ．「【００５９】
　例えば、本実施形態では、複数のキャラクタとして
数字を提示する例を示したが
本発明はこれに限らず
音
で提示すれば良い
【００６０】
　同様に、
音程の異なる複数の音をスピーカから出力して、所定の音程の音の数や順番を入力する処理
としても良い
　
　２　引用発明
　引用文献の前記ａ乃至ｃの記載によれば、引用文献には以下の発明（以下、「引用発明」という。）が記載されている。
〈引用発明〉
　「パスワード入力装置１であって、
　前記パスワード入力装置１は、パーソナルコンピュータ（ＰＣ）２の周辺機器として、該ＰＣ２とＬＡＮやＵＳＢ等のインターフェイス（ＩＦ）を介して接続され、
　提示部１１や、操作釦（入力部に相当）１２、記憶部１３、認証部１４、機能部１５、ディスプレイ（ＬＣＤ）１６を備えており、
　ＰＣ２の電源を入れると、ＰＣ２のＢＩＯＳがパスワード入力装置１にパスワードの入力を開始する旨の信号を送信し、
　インターフェイスを介してこの信号を受信したパスワード入力装置１は、パスワードの入力を開始し、提示部で２１桁の数列をランダムに生成しパスワードの入力を促すメッセージ３５と共に数列３６をＬＣＤ１６に表示させ（Ｓ１）、
　ユーザは、この数列３６を見ながら自分のパスワードを入力し、
　パスワード入力装置１は、記憶部１３に登録されているパスワードとしての処理を読出し、数列３６についてこの登録されている処理を行った結果を求め、前記入力された処理結果と一致するか否かを判定し、これらの処理結果が一致しなければ、認証せず、数列の提示（Ｓ１）に戻り、また、これらの処理結果が一致すれば認証し、機能部１５にこの認証を通知し、機能部１５は、この認証の通知に応じてインターフェイスを介してＰＣ２へ認証を通知するもので、
　また、上記では、数字を提示する例を示したが、これに限らず、音など、人が感知できる現象で提示しても良いものであるパスワード入力装置。」
　
第４．対比
　１　本願発明と引用発明とを対比するにあたり、本願発明は、上記「第２．本願発明」の「　２　本願発明の構成要件」で示したように、「知能型秘密鍵設備」と「発声装置」についての選択的構成要件であることが記載上明らかな、構成要件Ｃ１及び構成要件Ｃ２、または、構成要件Ｅ１〜構成要件Ｅ４を含んでいるため、ここでは、構成要件Ｃ１及び構成要件Ｅ１を含む本願発明（以下、「本願発明１」という。）と引用発明を対比する。
　
　（１）引用発明の「パーソナルコンピュータ」は、本願発明１の「ホスト」に相当し、引用発明の「パスワード入力装置」は、本願発明１の「知能型秘密鍵設備」と、「装置」である点で共通する。
　（２）引用発明の「認証部」及び「機能部」は、処理結果の認証、及び認証の通知等を担っており、本願発明１の「MCU」（メイン制御ユニット）に相当する。
　（３）また、本願発明１の「データ処理の必要によって受信したホストからの情報を処理」することは、本願明細書の応用例一に関する段落【００３５】の「図３は、発声装置付きの知能型秘密鍵設備の応用例一のフローを示す。ステップ３０１で、発声装置付きの知能型秘密鍵設備がホストに接続する。ステップ３０２で、
設備はPINコード検証請求を受信し
　（４）引用発明の「提示部で２１桁の数列をランダムに生成しパスワードの入力を促すメッセージ３５と共に数列３６をＬＣＤ１６に表示させ」ることは、本願発明１の「提示情報を発」することに相当する。
　（５）引用発明の「ユーザは、この数列３６を見ながら自分のパスワードを入力」することは、本願発明１の「提示情報の入力」に相当する。
　（６）本願発明１の「知能型秘密鍵設備は前記入力を処理」することは、本願明細書の応用例一に関する段落【００３５】の「設備はPINコードを検証し（ステップ３０６）、PINコードが正しい場合、ユーザが引き続き設備とアプリケーションを使用する（ステップ３０８）、正しくない場合、ユーザ身分エラーと警告する（ステップ３０９）。」との記載からみて、PINコードを検証することが含まれているものである。したがって、引用発明の「パスワード入力装置１は、記憶部１３に登録されているパスワードとしての処理を読出し、数列３６についてこの登録されている処理を行った結果を求め、前記入力された処理結果と一致するか否かを判定し、これらの処理結果が一致しなければ、認証せず、数列の提示（Ｓ１）に戻り、また、これらの処理結果が一致すれば認証し、機能部１５にこの認証を通知し、 機能部１５は、この認証の通知に応じてインターフェイスを介してＰＣ２へ認証を通知する」ことは、本願発明１の「知能型秘密鍵設備は前記入力を処理」することに相当する。
　
　２　したがって、本願発明１と引用発明は、以下の一致点と相違点とを有する。
＜一致点＞
「装置であって、
　MCUを含み、
　前記装置はデータ処理の必要によって受信したホストからの情報を処理してから、提示情報を発し、前記装置は提示情報の入力を処理する、
　装置。」
　
＜相違点１＞
　本願発明１では装置が「発声装置付きの知能型秘密鍵設備」であり、「発声装置より提示情報を発し」、そして、「前記発声装置がMCUと接続して、前記発声装置が発声デバイスを含み、
　前記発声装置は音声チップを含み、前記音声チップはMCUと接続し、MCUにより前記音声チップを制御し、前記発声デバイスは前記音声チップの出力端に接続され、前記音声チップに保存されている音声情報を出力して前記発声デバイスの発声を制御」するのに対し、引用発明では、提示情報は、数字等の視覚情報であり、「数字を提示する例を示したが、これに限らず、音など、人が感知できる現象で提示しても良いもの」ではあるが、具体的な構成は明らかではない点。
　　
＜相違点２＞
　本願発明１が「ホストは受信した提示情報の入力を知能型秘密鍵設備に送信し」との構成を備えるのに対し、引用発明では「操作釦（入力部に相当）１２」を備え、「パスワード入力装置１」において、「ユーザは、この数列３６を見ながら自分のパスワードを入力」するようにしている点。
　
第５．検討
　１　相違点につき検討する。
＜相違点１＞
　引用発明のパスワード入力装置を、慣用される「秘密鍵」を保持するセキュリテイ装置（特表２００２−５３５７４６号公報（「１つの解決手段は、ホストコンピュータの入力／出力（Ｉ／Ｏ）ポートに結合されるハードウェア鍵または「ドングル（ｄｏｎｇｌｅ）」として公知である外部デバイスを用いることである。」（段落【０００６】）、図１（２００）、段落【００３４】、段落【００５５】）、特開平１０−２８５１５３号公報（段落【０００８】）、特開２００６−２２１５６６号公報（段落【００１７】）の記載を参照。）に適用することで、「知能型秘密鍵設備」とすることに格別の困難性はない。
　また、引用発明は、提示情報として、音を提示することも可能である旨記載されているが、その具体的な構成は明らかではない。しかしながら、音を発する構成として、スピーカ等の発声デバイスを用い、発声装置として、音声チップを用いて、発声を制御するようにすることは、周知技術であり、引用発明において、提示情報として音を提示するようにする場合において、当該周知技術を採用し、相違点１に係る構成とすることは容易になし得ることである。
　なお、前記周知技術の一例として、拒絶の理由で引用した特開２００２−７７３１５号公報（平成１４年３月１５日出願公開。）及び特開平１０−１６１８４６号公報（平成１０年６月１９日出願公開。）を参照されたい。
　
＜相違点２＞
　本願明細書の応用例一の記載である段落【００３５】の「ユーザは提示情報に従い、適当な変化をしたのちに、PINコードを入力する（ステップ３０４）。アプリケーションは、受け取ったユーザの入力を設備に転送する（ステップ３０５）。」及び段落【００３６】の「例えば、知能型秘密鍵設備が発声装置より発する提示情報は1234である場合、知能型秘密鍵設備はこのデータに対して変更して、4321と序列を反転してから、発声装置より提示する。ユーザは発声装置より取得した提示情報は4321であり、ユーザも同じ様に序列反転処理をして1234を取得し、1234を
ホスト側に入力してから知能型秘密鍵設備へ発送
　それに対して、引用発明は、パスワードの入力をパスワード入力装置１で行うようにしているが、パスワードの入力をＰＣ２側（本願の「ホスト」に相当）で行うようにするか、パスワード入力装置１で行うようにするかは、ユーザの利便性、ＰＣ２とパスワード入力装置の配置関係等を考慮し、適宜選択し得る設計的事項であるので、引用発明において、パスワードの入力をホスト側で行うようにし、相違点２に係る構成とすることは容易になし得ることである。
　
　２　したがって、本願発明１は、引用発明及び本願出願前の周知技術を採用して当業者が容易に構成することができたものであるので、本願発明の他の選択的構成要件を検討するまでもなく、本願発明は、引用発明及び本願出願前の周知技術を採用して当業者が容易に構成することができたものである。
　
　また、本願発明の奏する作用効果も、引用発明及び本願出願前の周知技術からなる構成を採用することにより奏する作用効果からみて格別のものではない。
　
第６．むすび
　以上のとおり、本願発明は、引用発明及び周知技術に基づいて、当業者が容易に発明をすることができた発明であるから、特許法第２９条第２項の規定により特許を受けることができない。
　
　よって、結論のとおり審決する。